(57)【特許請求の範囲】
【請求項１】
外部信号を測定開始タイミングとして被測定信号の電力測定を開始することができる電力測定器において、
電力測定の開始タイミングとなる信号を発生する内部測定開始信号発生回路と、
電力測定の開始タイミングとなる外部測定開始信号を受ける外部測定開始信号入力手段と、
前記内部測定開始信号発生回路と前記外部測定開始信号入力手段の信号を選択出力することによって測定開始信号を発生するセレクタと、
電力測定の終了タイミングとなる測定終了信号を発生する内部測定終了信号発生回路と、
電力測定の終了タイミングとなる外部測定終了信号を受ける外部測定終了信号入力手段と、
前記内部測定終了信号発生回路と前記外部測定終了信号入力手段の信号を選択出力することによって測定終了信号を発生するセレクタと、
前記測定開始信号が出力されてから前記測定終了信号が出力されるまでの間の前記被測定信号の電力値を算出する演算回路と、
前記測定開始信号を外部に出力する外部測定開始信号出力手段及び前記測定終了信号を外部に出力する外部測定終了信号出力手段と、
装置全体を制御する制御回路
を備えたことを特徴とする電力測定器。
【請求項２】
前記制御回路は、前記内部測定開始信号発生回路の出力を前記測定開始信号として前記演算回路と前記外部測定開始信号出力手段に送り、前記内部測定終了信号発生回路の出力を前記測定終了信号として前記演算回路と前記外部測定終了信号出力手段に送るマスターモードと、
前記外部測定開始信号入力手段から入力される信号を前記測定開始信号として前記演算回路に送り、前記外部測定終了信号入力手段から入力される信号を前記測定終了信号として前記演算回路に送るスレーブモード
を備えたことを特徴とする請求項１に記載の電力測定器。
【請求項３】
前記内部測定終了信号発生回路は、前記測定開始信号が出力されてから予め設定された一定時間後、前記測定終了信号を出力するように構成されたことを特徴とする請求項１に記載の電力測定器。
【請求項４】
前記電力測定器は、マスターモードに設定された前記電力測定器の前記外部測定開始信号出力手段及び外部測定終了信号出力手段と、スレーブモードに設定された前記電力測定器の前記外部測定開始信号入力手段及び外部測定終了信号入力手段をそれぞれ接続し、同期測定を行うように構成されたことを特徴とする請求項１に記載の電力測定器。
【発明の詳細な説明】
【０００１】
【発明の属する技術分野】
本発明は、電力測定器に関し、特に詳しくは、複数台の電力測定器を用いて同期測定を行うことが可能な電力測定器に関するものである。
【０００２】
【従来の技術】
従来の電力測定器の構成について図５を用いて説明する。同図において、被測定電圧信号Ｖｉｎは、電圧入力回路１によって正規化された後、瞬時電圧値としてデジタル値に変換される。
【０００３】
また、被測定電流信号Ａｉｎは、電圧入力回路２によって正規化された後、瞬時電流値としてデジタル値に変換される。
【０００４】
ＤＳＰ（デジタルシグナルプロセッサ）３は、測定開始信号ＳＴと測定終了信号ＳＰを入力し、測定開始信号ＳＴを受け取ってから測定終了信号ＳＰを受け取るまでの間、電圧入力回路１及び電圧入力回路２によって得られた瞬時電圧値及び瞬時電流値を乗算し瞬時電力値を求め、これを平均化処理して有効電力を求める。
【０００５】
ＣＰＵ４は、電力測定器全体を制御する制御回路であり、上記ＤＳＰ３へ送る測定開始信号ＳＴと測定終了信号ＳＰを発生すると共に、部信号入力端子７を介して電力測定器外部からの外部測定開始信号Ｅｓｔを割り込み処理によって受け取り、これが入力されるとＤＳＰ３に測定開始信号ＳＴを送って電力測定を開始し、予め定められた表示更新周期後に測定終了信号ＳＰを送り有効電力を測定する。
【０００６】
そして、ＣＰＵ４は、この間に求められた有効電力値を、ＤＳＰ３から読み出し、表示器５に表示させる。
【０００７】
このような構成の電力測定器では、これを複数台用意し、これらの外部信号入力端子７にそれぞれ外部測定開始信号Ｅｓｔを同時に入力することにより、複数台の電力測定器を用いて、複数の電力を測定する同期測定を実現することが可能となる。
【０００８】
【発明が解決しようとする課題】
しかしながら、従来の電力測定器では、複数台の電力測定器による同期測定を行う場合、電力測定器の台数分の外部測定開始信号Ｅｓｔを測定者が、例えば、リレー回路を用いて接点増幅する等の方法を用いて作り出さなければならないという問題点があった。
【０００９】
また、従来の構成では、それぞれの電力測定器において、外部測定開始信号Ｅｓｔが最初にＣＰＵ４に送られ、次にＣＰＵ４がＤＳＰ３に対して測定開始信号ＳＴを送ることによって測定が開始される。
【００１０】
つまり従来の構成では、それぞれの電力測定器において外部測定開始信号Ｅｓｔを入力してから測定が開始されるまでにＣＰＵ４が介在するため遅れ時間が発生する。この遅れ時間は、ＣＰＵ４の割り込み処理によって行われるため一定ではなく、複数台の同期測定に時間のずれが生じてしまう。
【００１１】
従って、従来の電力測定器では、複数台の電力測定器による同期測定を行う場合、それぞれの電力測定器間で、時間的なずれが発生するという問題点があった。
【００１２】
本発明は、上記課題を解決するもので、複数台の電力測定器による同期測定を行う際、同期測定の時間的なずれを抑えると共に、測定者が電力測定器の台数分の外部測定開始信号を用意することなく、同期測定を行うことが可能な電力測定器を提供することを目的とする。
【００１３】
【課題を解決するための手段】
このような目的を達成するために請求項１に記載の発明では、外部信号を測定開始タイミングとして被測定信号の電力測定を開始することができる電力測定器において、電力測定の開始タイミングとなる信号を発生する内部測定開始信号発生回路と、電力測定の開始タイミングとなる外部測定開始信号を受ける外部測定開始信号入力手段と、前記内部測定開始信号発生回路と前記外部測定開始信号入力手段の信号を選択出力することによって測定開始信号を発生するセレクタと、電力測定の終了タイミングとなる測定終了信号を発生する内部測定終了信号発生回路と、電力測定の終了タイミングとなる外部測定終了信号を受ける外部測定終了信号入力手段と、前記内部測定終了信号発生回路と前記外部測定終了信号入力手段の信号を選択出力することによって測定終了信号を発生するセレクタと、前記測定開始信号が出力されてから前記測定終了信号が出力されるまでの間の前記被測定信号の電力値を算出する演算回路と、前記測定開始信号を外部に出力する外部測定開始信号出力手段及び前記測定終了信号を外部に出力する外部測定終了信号出力手段と、装置全体を制御する制御回路を備えたことを特徴とするものである。
【００１８】
請求項２に記載の発明では、請求項１に記載の発明において、前記制御回路は、前記内部測定開始信号発生回路の出力を前記測定開始信号として前記演算回路と前記外部測定開始信号出力手段に送り、前記内部測定終了信号発生回路の出力を前記測定終了信号として前記演算回路と前記外部測定終了信号出力手段に送るマスターモードと、前記外部測定開始信号入力手段から入力される信号を前記測定開始信号として前記演算回路に送り、前記外部測定終了信号入力手段から入力される信号を前記測定終了信号として前記演算回路に送るスレーブモードを備えたことを特徴とするものである。
【００１９】
請求項３に記載の発明では、請求項１に記載の発明において、前記内部測定終了信号発生回路は、前記測定開始信号が出力されてから予め設定された一定時間後、前記測定終了信号を出力するように構成されたことを特徴とするものである。
【００２０】
請求項４に記載の発明では、請求項１に記載の発明において、前記電力測定器は、マスターモードに設定された前記電力測定器の前記外部測定開始信号出力手段及び外部測定終了信号出力手段と、スレーブモードに設定された前記電力測定器の前記外部測定開始信号入力手段及び外部測定終了信号入力手段をそれぞれ接続し、同期測定を行うように構成されたことを特徴とするものである。
【００２１】
【発明の実施の形態】
以下図面を用いて本発明を詳しく説明する。図１は本発明に係る電力測定器の一実施例を示す構成図である。同図において従来例と異なる点は、ＣＰＵ４にマスターモードとスレーブモードの２つのモードを備えた点と、測定開始信号制御部１０を備えた点である。その他の構成要素は、従来例と同様であるため、同一の符号を付し説明を省略する。
【００２２】
同図において、測定開始信号制御部１０は、外部信号入力端子７と内部測定開始信号発生回路１７の出力を接続し、両者の信号をＣＰＵ４から出力される制御信号Ｃｏｎにより選択出力し、ＤＳＰ３に測定開始信号ＳＴ送るセレクタ１５及びここで得られた測定開始信号ＳＴを外部装置に出力する外部信号出力端子８と、測定開始信号ＳＴが発生されてから予め定められた一定時間後に測定終了信号ＳＴをＤＳＰ３に送る内部測定終了信号発生回路１６から構成されている。
【００２３】
このような構成の電力測定器において、複数の電力測定器による同期測定を行う場合の動作を図２を用いて説明する。同図は、３台の電力測定器２１〜２３を用いて同期測定を行う際の接続図である。
【００２４】
同図において、まず、１台の電力測定器２１をマスターモードに設定し、他の電力測定器２２，２３をスレーブモードに設定する。
【００２５】
マスターモードに設定された電力測定器２１のセレクタ１５は、ＣＰＵ４から出力される制御信号Ｃｏｎにより、内部測定開始信号発生回路１７の出力信号をＤＳＰ３に測定開始信号ＳＴとして送る。
【００２６】
スレーブモードに設定された電力測定器２２，２３のセレクタ１５は、ＣＰＵ４から出力される制御信号Ｃｏｎにより、外部信号入力端子７の信号をＤＳＰ３に測定開始信号ＳＴとして送る。
【００２７】
上記のようにモードに設定が成された電力測定器２１〜２３は、同図に示すように、マスターモードの電力測定器２１の外部信号出力端子８をスレーブモードの電力測定器２２，２３の外部信号入力端子７に接続する。
【００２８】
電力測定器２１〜２３を、このように接続することにより、マスターモードの電力測定器２１の測定が開始されると、ここで発生された測定開始信号ＳＴが、スレーブモードの電力測定器２２，２３に送られ、この信号によって、３台の電力測定器２１〜２３が同時に電力測定を開始する。
【００２９】
本発明の電力測定器では、このような構成により、複数台の電力測定器による同期測定を行う際、同期測定の時間的なずれを抑えると共に、測定者が電力測定器の台数分の外部測定開始信号を用意することなく、同期測定を行うことが可能な電力測定器を実現する。
【００３０】
また、上述の説明では、外部信号により電力測定を開始し、内部信号によって電力測定を終了する電力測定器の構成について説明したが、本発明の電力測定器では、電力測定の終了を外部信号を用いて制御することも可能である。このような動作を行う電力測定器の構成を図３に示す。
【００３１】
同図に示す電力測定器は、外部測定終了信号入力端子１８と外部測定終了信号出力端子１９及びセレクタ２０を備え、このセレクタ２０が内部測定終了信号発生回路１６とＤＳＰ３の間に挿入されている。
【００３２】
そして、上記セレクタ２０は、制御信号Ｃｏｎによって、セレクタ１５と同期して切換られる。
【００３３】
このような構成の電力測定器３１〜３３を図４に示すようにマスターモードの電力測定器３１の外部信号出力端子８、１９をスレーブモードの電力測定器３２，３３の外部信号入力端子７、１８に接続する。
【００３４】
電力測定器３１〜３３を、このように接続することにより、マスターモードの電力測定器２１の測定が開始されると、ここで発生された測定開始信号ＳＴが、スレーブモードの電力測定器２２，２３に送られ、この信号によって、３台の電力測定器２１〜２３が同時に電力測定を開始し、マスターモードの電力測定器２１の測定が終了されると、ここで発生された測定終了信号ＳＰが、スレーブモードの電力測定器２２，２３に送られ、この信号によって、３台の電力測定器２１〜２３が同時に電力測定を終了する。
【００３５】
なお、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【００３６】
例えば、上記に説明した外部信号出力端子及び外部信号出力端子から入力される各外部信号は、リード線等を介して入力される接点入力信号に限らず、例えば、各電力測定器に通信手段を備え、これを介して入力される通信コマンドによって電力測定の開始／終了を制御する構成にしても良い。
【００３７】
【発明の効果】
以上説明したように本発明によれば次のような効果がある。
請求項１〜４に記載の発明では、複数台の電力測定器による同期測定を行う際、同期測定の時間的なずれを抑えると共に、測定者が電力測定器の台数分の外部測定開始信号を用意することなく、同期測定を行うことが可能な電力測定器を実現することが可能となる。
【図面の簡単な説明】
【図１】本発明に係る電力測定器の一実施例を示す構成図である。
【図２】本発明の電力測定器の動作を説明する図である。
【図３】本発明に係る電力測定器の他の実施例を示す構成図である。
【図４】図３の電力測定器の動作を説明する図である。
【図５】従来の電力測定器の一例を示す構成図である。
【符号の説明】
１  電圧入力回路
２  電流入力回路
３  ＤＳＰ
４  ＣＰＵ
５  表示器
７  外部信号入力端子
８  外部信号出力端子
１０  測定開始信号制御部
１５、２０  セレクタ
１６  内部測定終了信号発生回路
１７  内部測定開始信号発生回路
１８  外部測定終了信号入力端子
１９  外部測定終了信号出力端子
【図１】
0003896775.tif 000002
【図２】
0003896775.tif 000003
【図３】
0003896775.tif 000004
【図４】
0003896775.tif 000005
【図５】
0003896775.tif 000006